(57)【要約】【課題】  静寂性能と低燃費性能とを高次元で両立し得る空気入りタイヤを提供する。【解決手段】  正規状態のタイヤ子午線断面において、トレッド部２からサイドウォール部３を経てビード部４に至るプロファイル１０を有する空気入りタイヤ１である。プロファイル１０は、タイヤ半径方向及びタイヤ軸方向の外面を規定する外側プロファイル１１を含んでいる。外側プロファイル１１は、サイドウォール部３の外面を規定するサイド外側プロファイル１３を含んでいる。サイド外側プロファイル１３は、少なくともタイヤ幅方向の最も外側の最大幅位置１３ａからタイヤ半径方向の最も外側の外端位置１３ｂまでが、単一の曲率半径ｒ１を有する第１円弧１３Ａにより形成されている。第１円弧１３Ａは、外端位置１３ｂにおける第１接線Ｌ１が、タイヤ半径方向に対して、４０〜５５°の第１角度θ１で傾斜している。【選択図】  図１
2020019400.tif 000002
【特許請求の範囲】
【請求項１】
正規状態のタイヤ子午線断面において、トレッド部からサイドウォール部を経てビード部に至るプロファイルを有する空気入りタイヤであって、
前記プロファイルは、タイヤ半径方向及びタイヤ軸方向の外面を規定する外側プロファイルを含み、
前記外側プロファイルは、前記サイドウォール部の前記外面を規定するサイド外側プロファイルを含み、
前記サイド外側プロファイルは、少なくともタイヤ幅方向の最も外側の最大幅位置からタイヤ半径方向の最も外側の外端位置までが、単一の曲率半径を有する第１円弧により形成され、
前記第１円弧は、前記外端位置における第１接線が、タイヤ半径方向に対して、４０〜５５°の第１角度で傾斜する、
空気入りタイヤ。
【請求項２】
前記プロファイルは、タイヤ半径方向及びタイヤ軸方向の内面を規定する内側プロファイルを含み、
前記内側プロファイルは、前記ビード部の前記内面を規定するビード内側プロファイルを含み、
前記ビード内側プロファイルは、少なくともタイヤ半径方向の最も内側の内端位置から正規リムのタイヤ半径方向の最も外側の最大径位置に相当するリム位置までが、単一の曲率半径を有する第２円弧により形成され、
前記第２円弧は、前記リム位置における第２接線が、タイヤ半径方向に対して、４０〜６０°の第２角度で傾斜する、請求項１に記載の空気入りタイヤ。
【請求項３】
前記第１角度と前記第２角度との和が、８０〜１００°である、請求項２に記載の空気入りタイヤ。
【請求項４】
前記ビード部は、前記ビード内側プロファイルに隣接して配された補強フィラーを含み、
前記補強フィラーは、繊維材を含む、請求項２又は３に記載の空気入りタイヤ。
【請求項５】
前記補強フィラーは、タイヤ軸方向から見たとき、前記繊維材の方向がタイヤ半径方向に対して、１５〜６０°の第３角度で傾斜する、請求項４に記載の空気入りタイヤ。
【請求項６】
前記繊維材は、ポリエステル、ナイロン、ケブラー又はスチールの少なくとも１つを含む、請求項４又は５に記載の空気入りタイヤ。
【請求項７】
前記外側プロファイルは、前記トレッド部の前記外面を規定するトレッド外側プロファイルを含み、
前記トレッド外側プロファイルは、複数の曲率半径を有する複数の円弧により形成される、請求項１ないし６のいずれかに記載の空気入りタイヤ。
【請求項８】
前記外側プロファイルは、前記トレッド外側プロファイルと前記サイド外側プロファイルとを連結するショルダー外側プロファイルを含み、
前記ショルダー外側プロファイルは、単一の曲率半径を有する第３円弧により形成される、請求項７に記載の空気入りタイヤ。
【請求項９】
前記サイド外側プロファイルの前記第１円弧の曲率半径は、前記ショルダー外側プロファイルの前記第３円弧の曲率半径よりも大きい、請求項８に記載の空気入りタイヤ。
【発明の詳細な説明】
【技術分野】
【０００１】
本発明は、正規状態のタイヤ子午線断面において、特定のプロファイルを有する空気入りタイヤに関する。
【背景技術】
【０００２】
従来、空気入りタイヤには、安全性、快適性、環境性等の観点から、多くの性能に対して向上させることが求められている。一方、例えば、静寂性能と低燃費性能とは、一方の性能を向上させると、他方の性能が低下するという、互いに背反する性能であることが知られている。下記特許文献１は、特定のベルトを設けることで、耐ロードノイズ性能を悪化させることなく転がり抵抗の低減を実現し得る空気入りタイヤを提案している。
【先行技術文献】
【特許文献】
【０００３】
【特許文献１】特開２０１５−２０９０５２号公報
【発明の概要】
【発明が解決しようとする課題】
【０００４】
しかしながら、空気入りタイヤの性能に対する要望は、年々高まってきており、特許文献１の空気入りタイヤにおいても、更なる改善が求められていた。
【０００５】
本発明は、以上のような実状に鑑み案出されたもので、特定のプロファイルを有することを基本として、静寂性能と低燃費性能とを高次元で両立し得る空気入りタイヤを提供することを主たる目的としている。
【課題を解決するための手段】
【０００６】
本発明は、正規状態のタイヤ子午線断面において、トレッド部からサイドウォール部を経てビード部に至るプロファイルを有する空気入りタイヤであって、前記プロファイルは、タイヤ半径方向及びタイヤ軸方向の外面を規定する外側プロファイルを含み、前記外側プロファイルは、前記サイドウォール部の前記外面を規定するサイド外側プロファイルを含み、前記サイド外側プロファイルは、少なくともタイヤ幅方向の最も外側の最大幅位置からタイヤ半径方向の最も外側の外端位置までが、単一の曲率半径を有する第１円弧により形成され、前記第１円弧は、前記外端位置における第１接線が、タイヤ半径方向に対して、４０〜５５°の第１角度で傾斜することを特徴とする。
【０００７】
本発明の空気入りタイヤにおいて、前記プロファイルは、タイヤ半径方向及びタイヤ軸方向の内面を規定する内側プロファイルを含み、前記内側プロファイルは、前記ビード部の前記内面を規定するビード内側プロファイルを含み、前記ビード内側プロファイルは、少なくともタイヤ半径方向の最も内側の内端位置から正規リムのタイヤ半径方向の最も外側の最大径位置に相当するリム位置までが、単一の曲率半径を有する第２円弧により形成され、前記第２円弧は、前記リム位置における第２接線が、タイヤ半径方向に対して、４０〜６０°の第２角度で傾斜するのが望ましい。
【０００８】
本発明の空気入りタイヤにおいて、前記第１角度と前記第２角度との和が、８０〜１００°であるのが望ましい。
【０００９】
本発明の空気入りタイヤにおいて、前記ビード部は、前記ビード内側プロファイルに隣接して配された補強フィラーを含み、前記補強フィラーは、繊維材を含むのが望ましい。
【００１０】
本発明の空気入りタイヤにおいて、前記補強フィラーは、タイヤ軸方向から見たとき、前記繊維材の方向がタイヤ半径方向に対して、１５〜６０°の第３角度で傾斜するのが望ましい。
【００１１】
本発明の空気入りタイヤにおいて、前記繊維材は、ポリエステル、ナイロン、ケブラー又はスチールの少なくとも１つを含むのが望ましい。
【００１２】
本発明の空気入りタイヤにおいて、前記外側プロファイルは、前記トレッド部の前記外面を規定するトレッド外側プロファイルを含み、前記トレッド外側プロファイルは、複数の曲率半径を有する複数の円弧により形成されるのが望ましい。
【００１３】
本発明の空気入りタイヤにおいて、前記外側プロファイルは、前記トレッド外側プロファイルと前記サイド外側プロファイルとを連結するショルダー外側プロファイルを含み、前記ショルダー外側プロファイルは、単一の曲率半径を有する第３円弧により形成されるのが望ましい。
【００１４】
本発明の空気入りタイヤにおいて、前記サイド外側プロファイルの前記第１円弧の曲率半径は、前記ショルダー外側プロファイルの前記第３円弧の曲率半径よりも大きいのが望ましい。
【発明の効果】
【００１５】
本発明の空気入りタイヤにおいて、外側プロファイルは、サイドウォール部の外面を規定するサイド外側プロファイルを含み、前記サイド外側プロファイルは、少なくともタイヤ幅方向の最も外側の最大幅位置からタイヤ半径方向の最も外側の外端位置までが、単一の曲率半径を有する第１円弧により形成され、前記第１円弧は、前記外端位置における第１接線が、タイヤ半径方向に対して、４０〜５５°の第１角度で傾斜している。
【００１６】
このようなサイドウォール部は、トレッド部に荷重が作用したときの荷重をサイドウォール部全体に分散することができ、その結果、タイヤの振動を抑制し、ロードノイズを低減することができる。また、このサイドウォール部は、トレッド部への荷重の有無による歪み量の差を低減することができ、その結果、タイヤの発熱を抑制し、転がり抵抗を低減することができる。このため、本発明の空気入りタイヤは、静寂性能と低燃費性能とを高次元で両立することができる。なお、この明細書において、特に言及されない場合、ある要素を特定することに伴う効果は、当該特定された要素以外の要素が同一のものと比較したときの効果が示される。
【図面の簡単な説明】
【００１７】
【図１】本発明の空気入りタイヤの一実施形態を示すタイヤ子午線断面図である。
【図２】他の実施形態の空気入りタイヤのタイヤ子午線部分断面図である。
【図３】補強フィラーをタイヤ軸方向から見た模式図である。
【発明を実施するための形態】
【００１８】
以下、本発明の実施の一形態が図面に基づき説明される。
図１は、本実施形態の空気入りタイヤ１の正規状態のタイヤ子午線断面図である。図１に示されるように、本実施形態の空気入りタイヤ１（以下、単に「タイヤ１」ということがある。）は、正規状態のタイヤ子午線断面において、トレッド部２からサイドウォール部３を経てビード部４に至るプロファイル１０を有している。
【００１９】
ここで、「正規状態」とは、タイヤ１が正規リムＲ（以下、単に「リムＲ」ということがある。）にリム組みされかつ正規内圧に調整された無負荷の状態である。以下、特に言及されない場合、タイヤ１の各部の寸法等はこの正規状態で測定された値である。
【００２０】
「正規リムＲ」とは、タイヤ１が基づいている規格を含む規格体系において、当該規格がタイヤ毎に定めるリムＲであり、例えばＪＡＴＭＡであれば "標準リム" 、ＴＲＡであれば"Design Rim" 、ＥＴＲＴＯであれば "Measuring Rim" である。
【００２１】
「正規内圧」とは、タイヤ１が基づいている規格を含む規格体系において、各規格がタイヤ毎に定めている空気圧であり、ＪＡＴＭＡであれば "最高空気圧" 、ＴＲＡであれば表"TIRE LOAD LIMITSAT VARIOUSCOLD INFLATION PRESSURES" に記載の最大値、ＥＴＲＴＯであれば "INFLATION PRESSURE" である。
【００２２】
本実施形態のプロファイル１０は、タイヤ半径方向及びタイヤ軸方向の外面を規定する外側プロファイル１１を含んでいる。外側プロファイル１１は、例えば、トレッド部２の外面を規定するトレッド外側プロファイル１２と、サイドウォール部３の外面を規定するサイド外側プロファイル１３とを含んでいる。外側プロファイル１１は、ビード部４の外面を規定するビード外側プロファイル１４と、トレッド外側プロファイル１２とサイド外側プロファイル１３とを連結するショルダー外側プロファイル１５とをさらに含むのが望ましい。
【００２３】
本実施形態のサイド外側プロファイル１３は、少なくともタイヤ幅方向の最も外側の最大幅位置１３ａからタイヤ半径方向の最も外側の外端位置１３ｂまでが、単一の曲率半径ｒ１を有する第１円弧１３Ａにより形成される。第１円弧１３Ａは、外端位置１３ｂにおける第１接線Ｌ１が、タイヤ半径方向に対して、４０〜５５°の第１角度θ１で傾斜するのが望ましい。
【００２４】
このようなサイドウォール部３は、トレッド部２に荷重が作用したときの荷重をサイドウォール部３全体に分散することができ、その結果、タイヤ１の振動を抑制し、ロードノイズを低減することができる。また、このサイドウォール部３は、トレッド部２への荷重の有無による歪み量の差を低減することができ、その結果、タイヤ１の発熱を抑制し、転がり抵抗を低減することができる。このため、本実施形態のタイヤ１は、静寂性能と低燃費性能とを高次元で両立することができる。
【００２５】
次に、本実施形態のタイヤ１のより好ましい態様が説明される。
タイヤ１は、例えば、乗用車用タイヤとして好適に用いられる。本実施形態のタイヤ１は、トレッド部２からサイドウォール部３を経てビード部４のビードコア５に至るカーカス６と、カーカス６のタイヤ半径方向の外側に配されたベルト層７とを含んでいる。
【００２６】
カーカス６は、少なくとも１枚、本実施形態では１枚のカーカスプライ６Ａを含んでいる。カーカスプライ６Ａは、例えば、タイヤ周方向に対して、７０〜９０°の角度で傾けられたカーカスコード（図示省略）を含んでいる。カーカスコードには、例えば、アラミド、レーヨン等の有機繊維コード又はスチールコードが採用される。
【００２７】
カーカスプライ６Ａは、例えば、一対のビードコア５間をトロイド状に跨る本体部６ａと、この本体部６ａの両側に連なりかつビードコア５の回りをタイヤ軸方向の内側から外側に折り返された折返し部６ｂとを含んでいる。カーカスプライ６Ａの本体部６ａと折返し部６ｂとの間には、ビードコア５からタイヤ半径方向外側にのびる断面三角形状のビードエーペックスゴム８が配されている。
【００２８】
ベルト層７は、少なくとも１枚、本実施形態では２枚のベルトプライ７Ａ，７Ｂを含んでいる。ベルトプライ７Ａ，７Ｂは、例えば、カーカス６側に配される内側ベルトプライ７Ａと、内側ベルトプライ７Ａのタイヤ半径方向外側に配される外側ベルトプライ７Ｂとを含んでいる。本実施形態の内側ベルトプライ７Ａのタイヤ軸方向の幅は、外側ベルトプライ７Ｂのタイヤ軸方向の幅よりも大きい。
【００２９】
各ベルトプライ７Ａ，７Ｂは、ベルトコード（図示省略）が、タイヤ周方向に対して、好ましくは、１０〜４０度の角度で傾けて配列されている。本実施形態の内側ベルトプライ７Ａ及び外側ベルトプライ７Ｂは、ベルトコードが互いに交差する向きに重ね合わされている。ベルトコードには、例えば、アラミド、レーヨン等の有機繊維コード又はスチールコードが好適に採用される。
【００３０】
本実施形態のトレッド部２は、ベルト層７のタイヤ半径方向の外側に配されたバンド層９を含んでいる。バンド層９は、少なくとも１枚、本実施形態では１枚のバンドプライ９Ａを含んでいる。このようなトレッド部２は、タイヤ１の高速走行時の操縦安定性能を向上させることができる。
【００３１】
トレッド部２は、例えば、タイヤ赤道Ｃを含むタイヤ軸方向の内側に位置するクラウン領域Ｃｒと、クラウン領域Ｃｒのタイヤ軸方向の外側に位置するショルダー領域Ｓｈとを含んでいる。
【００３２】
ここで、「タイヤ赤道Ｃ」とは、トレッド部２のタイヤ軸方向の両外側に位置するトレッド端Ｔｅ間のタイヤ軸方向の中央位置である。「トレッド端Ｔｅ」とは、正規状態のタイヤ１に、正規荷重を負荷してキャンバー角０°で平面に接地させたときの接地面のタイヤ軸方向の最外端である。
【００３３】
「正規荷重」とは、タイヤ１が基づいている規格を含む規格体系において、各規格がタイヤ毎に定めている荷重であり、ＪＡＴＭＡであれば "最大負荷能力" 、ＴＲＡであれば表 "TIRE LOAD LIMITS AT VARIOUS COLDINFLATION PRESSURES" に記載の最大値、ＥＴＲＴＯであれば "LOAD CAPACITY" である。なお、タイヤ１が乗用車用の場合、上述の荷重の８８％に相当する荷重とする。
【００３４】
本実施形態のトレッド外側プロファイル１２は、複数の曲率半径ｒ２，ｒ３を有する複数の円弧１２Ａ，１２Ｂにより形成されている。トレッド外側プロファイル１２は、例えば、クラウン領域Ｃｒの外面を規定するクラウン円弧１２Ａと、ショルダー領域Ｓｈの外面を規定するショルダー円弧１２Ｂとを含んでいる。
【００３５】
クラウン円弧１２Ａは、単一の曲率半径ｒ２を有するのが望ましい。また、ショルダー円弧１２Ｂは、単一の曲率半径ｒ３を有するのが望ましい。本実施形態のショルダー円弧１２Ｂの曲率半径ｒ３は、クラウン円弧１２Ａの曲率半径ｒ２よりも小さい。このようなトレッド部２は、路面を走行するとき、クラウン領域Ｃｒから徐々に接地するので、路面からの衝撃を緩和し、タイヤ１の静寂性能を向上させ得る。
【００３６】
本実施形態のサイド外側プロファイル１３は、最大幅位置１３ａからタイヤ半径方向の内側のビード外側プロファイル１４までが、単一の曲率半径ｒ４を有する第４円弧１３Ｂにより形成される。第４円弧１３Ｂの曲率半径ｒ４は、第１円弧１３Ａの曲率半径ｒ１よりも小さいのが望ましい。
【００３７】
このようなサイドウォール部３は、トレッド部２に荷重が作用したとき、荷重がサイドウォール部３の全体により均一に分散されるので、路面からの衝撃を緩和し、タイヤ１の静寂性能をより向上させることができる。なお、第４円弧１３Ｂの曲率半径ｒ４は、第１円弧１３Ａの曲率半径ｒ１に等しくてもよい。
【００３８】
ビード外側プロファイル１４は、例えば、リムＲの内面に沿った形状を有している。このようなビード外側プロファイル１４は、リムＲにリム組みされたとき、リムＲとの密着性が高く、タイヤ１をリムＲに強固に取り付けることができる。
【００３９】
ショルダー外側プロファイル１５は、例えば、単一の曲率半径ｒ５を有する第３円弧１５Ａにより形成されている。このようなショルダー外側プロファイル１５は、トレッド外側プロファイル１２とサイド外側プロファイル１３とを滑らかに連結することができ、トレッド部２に荷重が作用したとき、荷重をサイドウォール部３へ効率よく伝達することができる。なお、ショルダー外側プロファイル１５は、例えば、第３円弧１５Ａとサイド外側プロファイル１３の第１円弧１３Ａとを連結する直線を含んでいてもよい。
【００４０】
本実施形態のサイド外側プロファイル１３の第１円弧１３Ａの曲率半径ｒ１は、ショルダー外側プロファイル１５の第３円弧１５Ａの曲率半径ｒ５よりも大きい。サイド外側プロファイル１３の第１円弧１３Ａの曲率半径ｒ１は、ショルダー円弧１２Ｂの曲率半径ｒ３よりも小さいのが望ましい。このようなサイドウォール部３は、トレッド部２に荷重が作用したとき、路面からの衝撃を効果的に緩和し、タイヤ１の静寂性能をより向上させることができる。
【００４１】
本実施形態のプロファイル１０は、タイヤ半径方向及びタイヤ軸方向の内面を規定する内側プロファイル１６を含んでいる。内側プロファイル１６は、例えば、トレッド部２の内面を規定するトレッド内側プロファイル１７と、サイドウォール部３の内面を規定するサイド内側プロファイル１８とを含んでいる。内側プロファイル１６は、ビード部４の内面を規定するビード内側プロファイル１９をさらに含むのが望ましい。
【００４２】
トレッド内側プロファイル１７は、例えば、曲率半径の大きい円弧及び直線の少なくとも１つにより形成される。サイド内側プロファイル１８は、少なくとも１つの円弧により形成されるのが望ましい。トレッド内側プロファイル１７及びサイド内側プロファイル１８は、例えば、従来から周知の形状が適宜採用され得る。
【００４３】
ビード内側プロファイル１９は、例えば、リムＲのタイヤ半径方向の最も外側の最大径位置Ｒａに相当するリム位置１９ａを有している。本実施形態のビード内側プロファイル１９は、少なくともタイヤ半径方向の最も内側の内端位置１９ｂからリム位置１９ａまでが、単一の曲率半径ｒ６を有する第２円弧１９Ａにより形成される。第２円弧１９Ａは、リム位置１９ａにおける第２接線Ｌ２が、タイヤ半径方向に対して、４０〜６０°の第２角度θ２で傾斜するのが望ましい。
【００４４】
このようなビード部４は、サイドウォール部３の横ばね定数の低下を抑制することができ、その結果、タイヤ１の操縦安定性能の低下を抑制しつつ、ロードノイズを低減することができる。また、このビード部４は、トレッド部２への荷重の有無による歪み量の差を低減することができ、その結果、タイヤ１の発熱を抑制し、転がり抵抗を低減することができる。このため、本実施形態のタイヤ１は、静寂性能と低燃費性能とを高次元で両立することができる。
【００４５】
第１角度θ１と第２角度θ２との和は、好ましくは、８０〜１００°である。このようなタイヤ１は、サイドウォール部３とビード部４とにおいて、バランスよくロードノイズと転がり抵抗とを低減することができる。
【００４６】
図２は、他の実施形態の空気入りタイヤ２１の正規状態のタイヤ子午線部分断面図である。上述の実施形態と同一の構成は、同一の符号が付され、その説明が省略される。図２に示されるように、この実施形態の空気入りタイヤ２１（以下、単に「タイヤ１」ということがある。）は、正規状態のタイヤ子午線断面において、トレッド部２（図１に示す）からサイドウォール部２２を経てビード部２３に至るプロファイル１０を有している。
【００４７】
プロファイル１０は、既に説明したように、サイド外側プロファイル１３、ビード外側プロファイル１４等を含む外側プロファイル１１と、サイド内側プロファイル１８、ビード内側プロファイル１９等を含む内側プロファイル１６とを含んでいる。この実施形態のタイヤ２１は、上述のタイヤ１と同一のプロファイル１０を有しているので、静寂性能と低燃費性能とを高次元で両立することができる。
【００４８】
この実施形態のタイヤ２１は、トレッド部２（図１に示す）からサイドウォール部２２を経てビード部２３のビードコア５に至るカーカス２４を含んでいる。カーカス２４は、少なくとも１枚、本実施形態では１枚のカーカスプライ２４Ａを含んでいる。カーカスプライ２４Ａは、上述のカーカスプライ６と同様、例えば、タイヤ周方向に対して、７０〜９０°の角度で傾けられたカーカスコード（図示省略）を含んでいる。
【００４９】
カーカスプライ２４Ａは、例えば、一対のビードコア５間をトロイド状に跨る本体部２４ａと、この本体部２４ａの両側に連なりかつビードコア５の回りをタイヤ軸方向の内側から外側に折り返された折返し部２４ｂとを含んでいる。
【００５０】
ビード部２３は、ビード部２３とサイドウォール部２２との剛性バランスを調整するためのビードエーペックスゴム２５を含むのが望ましい。ビードエーペックスゴム２５は、例えば、タイヤ軸方向の内側に配された内側ビードエーペックスゴム２５Ａと、外側に配された外側ビードエーペックスゴム２５Ｂとを含んでいる。
【００５１】
この実施形態の内側ビードエーペックスゴム２５Ａは、カーカスプライ２４Ａの本体部２４ａと折返し部２４ｂとの間に配されている。内側ビードエーペックスゴム２５Ａは、例えば、ビードコア５からタイヤ半径方向外側にのびる断面三角形状に形成されている。
【００５２】
この実施形態の外側ビードエーペックスゴム２５Ｂは、折返し部２４ｂのタイヤ軸方向の外側に配されている。外側ビードエーペックスゴム２５Ｂは、後述するチェーファー２６よりもタイヤ軸方向の外側に配されるのが望ましい。この実施形態の外側ビードエーペックスゴム２５Ｂのタイヤ半径方向の外端２５ｂは、内側ビードエーペックスゴム２５Ａのタイヤ半径方向の外端２５ａよりもタイヤ半径方向の外側に位置している。このようなビードエーペックスゴム２５は、ビード部２３とサイドウォール部２２との剛性バランスを適切なものとし、タイヤ２１の操縦安定性能と静寂性能とをバランスよく向上させることができる。
【００５３】
この実施形態のビード部２３は、カーカス２４とリムＲとの間に配されたチェーファー２６と、ビード内側プロファイル１９に隣接して配された補強フィラー２７とをさらに含んでいる。このようなビード部２３は、チェーファー２６及び補強フィラー２７により補強されるので、トレッド部２への荷重の有無による歪み量の差を低減することができ、その結果、タイヤ２１の発熱を抑制し、転がり抵抗を低減することができる。
【００５４】
この実施形態のチェーファー２６は、リムＲに接触する底面２６ａを含んでいる。このようなチェーファー２６は、カーカス２４とリムＲとの接触を抑制し、カーカス２４の耐久性を向上させ得る。
【００５５】
補強フィラー２７は、例えば、繊維材２７ａを含んでいる。繊維材２７ａは、ポリエステル、ナイロン、ケブラー又はスチールの少なくとも１つを含むのが望ましい。この実施形態の補強フィラー２７は、ビード内側プロファイル１９に隣接しているので、リムＲの最大径位置Ｒａに相当する位置２７ａにおいて、タイヤ半径方向に対して大きく傾斜している。このような補強フィラー２７は、ビード部２３の横剛性を向上させることができ、その結果、タイヤ２１の操縦安定性能を向上させることができる。
【００５６】
図３は、補強フィラー２７をタイヤ軸方向から見た模式図である。図３に示されるように、補強フィラー２７は、タイヤ軸方向から見たとき、繊維材２７ａの方向がタイヤ半径方向に対して、好ましくは、１５〜６０°、より好ましくは、４０〜５０°の第３角度θ３で傾斜している。このような補強フィラー２７は、ビード部２３のねじり剛性を向上させることができ、その結果、タイヤ２１の操縦安定性能をより向上させることができる。
【００５７】
なお、補強フィラー２７は、例えば、図１に示されるビード部４に設けられてもよい。このような補強フィラー２７は、タイヤ１の操縦安定性能を向上させることができる。
【００５８】
以上、本発明の特に好ましい実施形態について詳述したが、本発明は、上述の実施形態に限定されることなく、種々の態様に変形して実施し得る。
【実施例】
【００５９】
図１の基本構造を有するタイヤが、表１の仕様に基づき試作され、それらの静寂性能、低燃費性能及び操縦安定性能がテストされた。各試作タイヤの共通仕様やテスト方法は、以下のとおりである。
【００６０】
＜共通仕様＞
タイヤサイズ：１９５／６５Ｒ１５  ９１Ｈ
リムサイズ：１５×６Ｊ
【００６１】
＜静寂性能＞
試作タイヤが全輪に装着されたテスト車両（中型ハイブリッド乗用車）で、内圧を前輪２３０ｋＰａ、後輪２２０ｋＰａに調整され、ロードノイズ計測路を時速６０ｋｍで走行したときの車内のノイズがテストドライバーの窓側の耳位置で計測された。結果は、比較例１を１００とする指数で表され、数値が小さいほどノイズが小さく、静寂性能に優れていることを示す。
【００６２】
＜低燃費性能＞
転がり抵抗試験機を用いて、試作タイヤの内圧を２１０ｋＰａに調整し、４．８ｋＮの荷重を負荷して時速８０ｋｍで走行させたときの転がり抵抗が計測された。結果は、比較例１を１００とする指数で表され、数値が小さいほど転がり抵抗が小さく、低燃費性能に優れていることを示す。
【００６３】
＜操縦安定性能＞
試作タイヤが全輪に装着されたテスト車両（中型ハイブリッド乗用車）で、内圧を前輪２３０ｋＰａ、後輪２２０ｋＰａに調整され、ドライの舗装路を走行したときの操縦安定性能がテストドライバーの官能評価により評価された。結果は、比較例１を１００とする指数で表され、数値が大きいほど、操縦安定性能に優れていることを示す。
【００６４】
テストの結果が表１に示される。
【表１】
2020019400.tif 000003
【００６５】
テストの結果、実施例のタイヤは、操縦安定性能の低下を抑制しつつ、静寂性能と低燃費性能とを高次元で両立し得ることが確認された。
【符号の説明】
【００６６】
１    空気入りタイヤ（タイヤ）
２    トレッド部
３    サイドウォール部
４    ビード部
１０    プロファイル
１１    外側プロファイル
１３    サイド外側プロファイル
１３Ａ  第１円弧
１３ａ  最大幅位置
１３ｂ  外端位置
【図１】
2020019400.tif 000004
【図２】
2020019400.tif 000005
【図３】
2020019400.tif 000006